(57)【要約】【課題】書類の出し入れの際に開け易くすると共に、見た目にも高級感、豪華さを持たせることを目的としたファイルを提供すること。【解決手段】ファイル本体１の前部分２は、後部分３に対して大きさを小さくしている。すなわち、ファイル本体１の前部分２の上縁５と右縁６を、後部分３の上縁１０と右縁１１に対して略全長にわたって内側に位置するように形成する。この後部分３の上縁１０と右縁１１に対して、前部分２の上縁５と右縁６を２ｍｍから１０ｍｍ程度内側に位置させる。ファイル本体１の表面の白色系に対して、内面の色彩を黒色、金色、銀色のいずれかに着色する。ファイル本体１を正面から見た場合、上縁と右縁にかけて逆Ｌ型に色彩部分が現れて、ファイル本体１に高級感、豪華さを持たせることができる。【選択図】図１
2009196294.tif 000002
【特許請求の範囲】
【請求項１】
二つ折りされて下端部が閉塞され、前部分（２）と後部分（３）からなるファイル本体（１）の内部に書類を出し入れ自在としたファイルにおいて、
前記ファイル本体（１）の前部分（２）の上縁（５）を、前記後部分（３）の上縁（１０）に対して略全長にわたって内側に位置するように形成していることを特徴とするファイル。
【請求項２】
二つ折りされて下端部が閉塞され、前部分（２）と後部分（３）からなるファイル本体（１）の内部に書類を出し入れ自在としたファイルにおいて、
前記ファイル本体（１）の前部分（２）の右縁（６）を、前記後部分（３）の右縁（１１）に対して略全長にわたって内側に位置するように形成していることを特徴とするファイル。
【請求項３】
二つ折りされて下端部が閉塞され、前部分（２）と後部分（３）からなるファイル本体（１）の内部に書類を出し入れ自在としたファイルにおいて、
前記ファイル本体（１）の前部分（２）の上縁（５）を、前記後部分（３）の上縁（１０）に対して略全長にわたって内側に位置するように形成すると共に、前記ファイル本体（１）の前部分（２）の右縁（６）を、前記後部分（３）の右縁（１１）に対して略全長にわたって内側に位置するように形成していることを特徴とするファイル。
【請求項４】
前記ファイル本体（１）の材料を紙材で構成し、該ファイル本体（１）の内面を黒色、金色、銀色のいずれかで着色していることを特徴とする請求項１〜請求項３にいずれか記載のファイル。
【請求項５】
前記ファイル本体（１）の前部分（２）と後部分（３）の下部を固着し、横方向の略全長にわたって形成している固着部（４）の色彩を、ファイル本体（１）の内面の色彩を同色としていることを特徴とする請求項４に記載のファイル。
【請求項６】
前記ファイル本体（１）の材料をポリプロピレンとして、透明あるいは半透明としていることを特徴とする請求項１〜請求項３にいずれか記載のファイル。
【請求項７】
前記ファイル本体（１）の前部分（２）に対して後部分（３）が露出している幅を２ｍｍから１０ｍｍの範囲内としていることを特徴とする請求項１〜請求項６にいずれか記載のファイル。
【発明の詳細な説明】
【技術分野】
【０００１】
本発明は、材料をポリプロピレンや紙材として、上縁と右縁が開口されて内部に書類等を収納するファイルに関するものである。
【背景技術】
【０００２】
図１９は従来より市販されているファイル本体５１を示し、このファイル本体５１は材料をポリプロピレンとしている。図１９（ａ）はファイル本体５１の表面を、（ｂ）はファイル本体５１の裏面をそれぞれ示している。このファイル本体５１は周知のように上縁と右縁とが開口されていて、ファイル本体１内に書類を入れて使用されるものである。
ファイル本体５１の下部は、材料を二つ折りした後で下部を閉塞すべく高周波にて溶着した溶着部５２が形成されている。また、右側の上部には半円状の切欠部５３が切欠き形成されており、この切欠部５３の部分に指を当ててファイル本体５１を開いて内部の書類を入れるようになっている。
【０００３】
しかしながら、この種のファイル本体５１は、透明あるいは半透明であって上記切欠部５３は分かりにくく、また、該切欠部５３があるということが分かっていても、わざわざ指を切欠部５３に当ててファイル本体５１を開くということがない。つまり、実際にファイル本体５１を開ける場合は、ファイル本体５１を両側からつかんで、親指と、人指し指及び中指を動かしてファイル本体５１の前部分と後部分をずらして開けるようにしているの現状である。
【０００４】
すなわち、図１９に示すように、従来のファイル本体５１は、前部分５４と後部分５５との大きさが同一であり、前部分５４と後部分５５との上縁と右縁とは位置が同じであるために引っ掛かりがなく、ファイル本体５１を開きにくくしている。
【０００５】
また、一般に市販されているファイル本体５１は、コストのみを追求してポリプロピレンを使用していることで、安っぽくなって高級感が全く感じられない。そこで、ファイル本体５１に高級感を持たせるようにしたものとして、例えば、下記に示す特許文献１が挙げられる。
【０００６】
【特許文献１】実用新案登録第３１３８８７１号
【０００７】
この特許文献１では、書類を出し入れ自在としたファイル本体の材料を紙材で構成し、紙材の色彩を黒色として高級感を出したものである。しかしながら、この特許文献１に開示されているファイル本体においても、図１９に示すファイル本体５１の場合と同様に、ファイル本体の前部分と後部分との大きさを同一としているために、ファイル本体を開けにくいという問題がある。
【発明の開示】
【発明が解決しようとする課題】
【０００８】
本発明は上述の問題点に鑑みて提供したものであって、書類の出し入れの際に開け易くすると共に、見た目にも高級感、豪華さを持たせることを目的としたファイルを提供するものである。
【課題を解決するための手段】
【０００９】
そこで、本発明の請求項１に記載のファイルでは、二つ折りされて下端部が閉塞され、前部分２と後部分３からなるファイル本体１の内部に書類を出し入れ自在としたファイルにおいて、
前記ファイル本体１の前部分２の上縁５を、前記後部分３の上縁１０に対して略全長にわたって内側に位置するように形成していることを特徴としている。
【００１０】
請求項２に記載のファイルでは、二つ折りされて下端部が閉塞され、前部分２と後部分３からなるファイル本体１の内部に書類を出し入れ自在としたファイルにおいて、
前記ファイル本体１の前部分２の右縁６を、前記後部分３の右縁１１に対して略全長にわたって内側に位置するように形成していることを特徴としている。
【００１１】
請求項３に記載のファイルでは、二つ折りされて下端部が閉塞され、前部分２と後部分３からなるファイル本体１の内部に書類を出し入れ自在としたファイルにおいて、
前記ファイル本体１の前部分２の上縁５を、前記後部分３の上縁１０に対して略全長にわたって内側に位置するように形成すると共に、前記ファイル本体１の前部分２の右縁６を、前記後部分３の右縁１１に対して略全長にわたって内側に位置するように形成していることを特徴としている。
【００１２】
請求項４に記載のファイルでは、前記ファイル本体１の材料を紙材で構成し、該ファイル本体１の内面を黒色、金色、銀色のいずれかで着色していることを特徴としている。
【００１３】
請求項５に記載のファイルでは、前記ファイル本体１の前部分２と後部分３の下部を固着し、横方向の略全長にわたって形成している固着部４の色彩を、ファイル本体１の内面の色彩を同色としていることを特徴としている。
【００１４】
請求項６に記載のファイルでは、前記ファイル本体１の材料をポリプロピレンとして、透明あるいは半透明としていることを特徴としている。
【００１５】
請求項７に記載のファイルでは、前記ファイル本体１の前部分２に対して後部分３が露出している幅を２ｍｍから１０ｍｍの範囲内としていることを特徴としている。
【発明の効果】
【００１６】
本発明の請求項１に記載のファイルによれば、ファイル本体１の前部分２の上縁５を、前記後部分３の上縁１０に対して略全長にわたって内側に位置するように形成しているので、ファイル本体１の上部だけ後部分３を露出させていることになり、この後部分３の上部を指で当てるだけで、ファイル本体１を容易に開けることができる。また、後部分３の上部を当てると、後部分３全体が開くので、後部分３の右側も開き、そのまま後部分３でもってファイル本体１を容易に開けることができる。
【００１７】
請求項２に記載のファイルによれば、ファイル本体１の前部分２の右縁６を、前記後部分３の右縁１１に対して略全長にわたって内側に位置するように形成しているので、ファイル本体１の右側だけ後部分３を露出させていることになり、この後部分３の右部分を指で当てるだけで、ファイル本体１を容易に開けることができる。また、後部分３の右部分を当てると、後部分３全体が開くので、後部分３の上側も開き、そのまま後部分３でもってファイル本体１を容易に開けることができる。
【００１８】
請求項３に記載のファイルによれば、ファイル本体１の前部分２の上縁５を、前記後部分３の上縁１０に対して略全長にわたって内側に位置するように形成すると共に、前記ファイル本体１の前部分２の右縁６を、前記後部分３の右縁１１に対して略全長にわたって内側に位置するように形成しているので、後部分３の上縁１０と右縁１１とが、前部分２の上縁５と右縁６より外側に位置することになり、そのため、後部分３の上縁１０と右縁１１とが略全長にわたって露出していることになる。これにより、ファイル本体１の上縁と右縁とのいずれを指で当てても、後部分３の上縁１０や右縁１１に指が当たり、後部分３を開けることで、ファイル本体１を容易に開けることができる。
【００１９】
請求項４に記載のファイルによれば、ファイル本体１の材料を紙材で構成し、該ファイル本体１の内面を黒色、金色、銀色のいずれかで着色しているので、ファイル本体１を正面から見た場合、上縁、あるいは右縁、あるいは上縁と右縁にかけて色彩部分が現れて、ファイル本体１に高級感、豪華さを持たせることができる。
【００２０】
請求項５に記載のファイルによれば、ファイル本体１の前部分２と後部分３の下部を固着し、横方向の略全長にわたって形成している固着部４の色彩を、ファイル本体１の内面の色彩を同色としていることで、ファイル本体１に一層高級感、豪華さを持たせることができる。
【００２１】
請求項６に記載のファイルによれば、ファイル本体１の材料をポリプロピレンとして、透明あるいは半透明としていることで、ファイル本体１を開け易くすることができる。
【００２２】
請求項７に記載のファイルによれば、ファイル本体１の前部分２に対して後部分３が露出している幅を２ｍｍから１０ｍｍの範囲内としていることで、見た目にファイル本体１に高級感、豪華さを持たせることができる。
【発明を実施するための最良の形態】
【００２３】
（第１の実施の形態）
以下、本発明の第１の実施の形態を図面を参照して詳細に説明する。図１は本発明のファイル本体１を示し、（ａ）はファイル本体１の正面図を、（ｂ）はファイル本体１の背面図をそれぞれ示している。
【００２４】
このファイル本体１は、紙材で形成されており、１枚の紙を二つ折りした際に、前側となる前部分２と、後側となる後部分３との間に書類を収納するようにしている。そして、ファイル本体１の下部は、前部分２と後部分３とを接着または高周波溶着した固着部４として、ファイル本体１の上縁と右縁とを開放して、この開放部分から書類を出し入れ自在としている。
【００２５】
そして、ファイル本体１の前部分２は、後部分３に対して大きさを小さくしている。すなわち、ファイル本体１の前部分２の上縁５と右縁６を、後部分３の上縁１０と右縁１１に対して略全長にわたって内側に位置するように形成している。この後部分３の上縁１０と右縁１１に対して、前部分２の上縁５と右縁６を２ｍｍから１０ｍｍ程度内側に位置させている。
この寸法を２ｍｍから１ｍｍ単位で１０ｍｍまでそれぞれ異なる寸法で前部分２の大きさを設定するようにしているが、試行錯誤の結果、２ｍｍが好適例である。これにより、一層ファイル本体１に高級感、豪華さを持たせることができる。
【００２６】
このようにしてファイル本体１の前部分２を後部分３より小さく形成することで、後部分３の上縁１０と右縁１１とが、前部分２の上縁５と右縁６より外側に位置することになり、そのため、後部分３の上縁１０と右縁１１とが略全長にわたって露出していることになる。そして、この後部分３の露出している部分が指の引っ掛かりとなり、ファイル本体１を開け易くしている。
これにより、ファイル本体１の上縁と右縁とのいずれを指で当てても、後部分３の上縁１０や右縁１１に指が当たり、後部分３を開けることで、ファイル本体１を容易に開けることができる。
【００２７】
また、ファイル本体１の色彩としては、材料の紙材そのものの色彩としても良い（例えば、白色、ベージュなど）が、本発明では、表面を白色系とし、内面の色彩を黒色、金色、銀色のいずれかを用いている。ファイル本体１の表面の白色系に対して、内面の色彩を黒色、金色、銀色のいずれかを用いていることで、ファイル本体１を正面から見た場合、上縁と右縁にかけて逆Ｌ型に色彩部分が現れて、ファイル本体１に高級感、豪華さを持たせることができる。
【００２８】
なお、本実施形態では、図１９に示すように、ファイル本体１の表面と裏面にはカレンダー部１３を印刷しており、また、カレンダー部１３の上方には材料の紙材を利用してメモ書きが可能なメモ部１４を設けている。
【００２９】
また、図１に示す例では、ファイル本体１の前部分２の右縁６の上部に従来と同様な切欠部１６を設けている。しかし、図２に示すように、この切欠部１６を無くして、右縁６を直線状に形成するようにしても良い。このファイル本体１の他の部分は図１に示す場合と同様であり、図２に示すファイル本体１は、図１に示すファイル本体１と同様の効果を有している。
【００３０】
（第２の実施の形態）
図３は第２の実施形態を示し、ファイル本体１の固着部４の部分に後部分３の色彩（黒色、金色、銀色のいずれか）と同じ色彩を着色した場合である。これにより、ファイル本体１を見た場合、略コ字型の色彩部分が見えて、ファイル本体１に一層、高級感、豪華さを持たせることができる。
ファイル本体１の他の構成は第１の実施形態と同様であり、そのため、本実施形態でも第１の実施形態と同様の効果を奏する。
【００３１】
図３は、ファイル本体１の前部分２に切欠部１６を形成している場合を示しているが、図４に示すように、この切欠部１６を無くしたファイル本体１の場合を示している。この図４に示すファイル本体１においても、第１の実施形態と同様の効果を奏する。
【００３２】
（第３の実施の形態）
図５は第３の実施形態を示し、図１に示すファイル本体１に対して前部分２の上縁５だけを、後部分３の上縁１０に対して内側に位置させて、前部分２の右縁６は後部分３の右縁１１と同じ位置にさせた場合である。つまり、ファイル本体１の上部だけ後部分３を露出させているものである。そして、この後部分３の上部を指の引っ掛かり部分としている。
本実施形態では、ファイル本体１の上部だけ後部分３を露出させているが、この後部分３の上部を指で当てるだけで、ファイル本体１を容易に開けることができる。また、後部分３の上部を当てると、後部分３全体が開くので、後部分３の右側も開き、そのまま後部分３でもってファイル本体１を容易に開けることができる。
【００３３】
また、この図５に示すファイル本体１の他の構成も、図１の場合と同様であり、ファイル本体１の内面の色彩は黒色、金色、銀色のいずれかを用いており、ファイル本体１の上部だけ横方向に直線状に内面の色彩が現れ、高級感、豪華さをファイル本体１に持たせることができる。
【００３４】
図６は第３の実施形態の他の例を示し、ファイル本体１の前部分２の右縁６だけを、後部分３の右縁１１に対して内側に位置させて、前部分２の上縁５は後部分３の上縁１０と同じ位置にさせた場合である。つまり、ファイル本体１の右側だけ後部分３を露出させている。そして、この後部分３の右側を指の引っ掛かり部分としている。
本実施形態では、ファイル本体１の右側だけ後部分３を露出させているが、この後部分３の右部分を指で当てるだけで、ファイル本体１を容易に開けることができる。また、後部分３の右部分を当てると、後部分３全体が開くので、後部分３の上側も開き、そのまま後部分３でもってファイル本体１を容易に開けることができる。
【００３５】
また、この図６に示すファイル本体１の他の構成も、図１の場合と同様であり、ファイル本体１の内面の色彩は黒色、金色、銀色のいずれかを用いており、ファイル本体１の右部だけ横方向に直線状に内面の色彩が現れ、高級感、豪華さをファイル本体１に持たせることができる。
【００３６】
上記図５及び図６はファイル本体１の前部分２の切欠部１６を設けた場合であり、図７及び図８は該切欠部１６を設けていない場合を示し、図７は図５に対応し、図８は図６に対応したファイル本体１を示している。
図７及び図８のファイル本体１は切欠部１６を設けていないだけであり、図５及び図６に示すファイル本体１を同様の効果を奏する。
【００３７】
（第４の実施の形態）
図９は第４の実施形態を示し、図５に示すファイル本体１に対して、固着部４にファイル本体１の内面に着色した黒色、金色、銀色のいずれかと同じ色彩に着色した場合である。この実施形態では、ファイル本体１の上下に横方向に直線状に内面の色彩が現れ、高級感、豪華さをファイル本体１に持たせることができる。
また、ファイル本体１の他の構成は、図５に示すファイル本体１と同様であり、そのため、図５に示すファイル本体１の場合と同様の効果を奏する。
【００３８】
図１０は、図６に示すファイル本体１に対応したものであり、固着部４にファイル本体１の内面に着色した黒色、金色、銀色のいずれかと同じ色彩に着色した場合である。この実施形態では、ファイル本体１の下部と右部分に直線状に内面の色彩が現れ、高級感、豪華さをファイル本体１に持たせることができる。
また、ファイル本体１の他の構成は、図６に示すファイル本体１と同様であり、そのため、図６に示すファイル本体１の場合と同様の効果を奏する。
【００３９】
図９及び図１０はファイル本体１に切欠部１６を設けた場合であるが、図１１及び図１２は切欠部１６を設けていないファイル本体１の例を示している。この図１１及び図１２は、それぞれ図９及び図１０に対応しているものであり、図９及び図１０の場合と同様の効果を奏する。
【００４０】
（第５の実施の形態）
第５の実施形態を図１３に示す。本実施形態では、ファイル本体１の材料をポリプロピレンとして、透明あるいは半透明とした場合である。したがって、色彩は本実施形態では着色されていないが、ファイル本体１の後部分３の上部と右側が逆Ｌ字状に露出しているので、ファイル本体１を開ける場合の作用及び効果は、図１の場合と同様である。
なお、本実施形態では、カレンダー部１３やメモ部１４は設けていないが、ファイル本体１の表面にカレンダー部１３やメモ部１４を印刷して設けるようにしても良い。
【００４１】
図１３の例ではファイル本体１に切欠部１６を設けた場合を示しているが、図１４では、切欠部１６を設けていないファイル本体１を示している。このファイル本体１における作用及び効果は図１３の場合と同様である。
【００４２】
図１５は図１３に対して、前部分２の上縁５だけを、後部分３の上縁１０に対して内側に位置させて、前部分２の右縁６は後部分３の右縁１１と同じ位置にさせた場合である。
本実施形態では、ファイル本体１の上部だけ後部分３を露出させているが、この後部分３の上部を指で当てるだけで、ファイル本体１を容易に開けることができる。また、後部分３の上部を当てると、後部分３全体が開くので、後部分３の右側も開き、そのまま後部分３でもってファイル本体１を容易に開けることができる。
【００４３】
図１６は、ファイル本体１の前部分２の右縁６だけを、後部分３の右縁１１に対して内側に位置させて、前部分２の上縁５は後部分３の上縁１０と同じ位置にさせた場合である。
本実施形態では、ファイル本体１の右側だけ後部分３を露出させているが、この後部分３の右部分を指で当てるだけで、ファイル本体１を容易に開けることができる。また、後部分３の右部分を当てると、後部分３全体が開くので、後部分３の上側も開き、そのまま後部分３でもってファイル本体１を容易に開けることができる。
【００４４】
図１７及び図１８は、図１５及び図１６に対して切欠部１６を設けていない場合のファイル本体１をそれぞれ示しており、この図１７及び図１８における作用及び効果は図１５及び図１６の場合と同様である。
【図面の簡単な説明】
【００４５】
【図１】（ａ）（ｂ）は本発明の第１の実施の形態におけるファイル本体の正面図及び背面図である。
【図２】本発明の第１の実施の形態における切欠部を設けていない場合のファイル本体の正面図である。
【図３】本発明の第２の実施の形態におけるファイル本体の正面図である。
【図４】本発明の第２の実施の形態における切欠部を設けていない場合のファイル本体の正面図である。
【図５】本発明の第３の実施の形態におけるファイル本体の正面図である。
【図６】本発明の第３の実施の形態における他の例のファイル本体の正面図である。
【図７】本発明の第３の実施の形態における切欠部を設けていない場合のファイル本体の正面図である。
【図８】本発明の第３の実施の形態における切欠部を設けていない場合のファイル本体の正面図である。
【図９】本発明の第４の実施の形態におけるファイル本体の正面図である。
【図１０】本発明の第４の実施の形態における他の例のファイル本体の正面図である。
【図１１】本発明の第４の実施の形態における切欠部を設けていない場合のファイル本体の正面図である。
【図１２】本発明の第４の実施の形態における切欠部を設けていない場合のファイル本体の正面図である。
【図１３】（ａ）（ｂ）は第５の実施の形態におけるファイル本体の正面図及び背面図である。
【図１４】（ａ）（ｂ）は第５の実施の形態における切欠部を設けていないファイル本体の正面図及び背面図である。
【図１５】本発明の第５の実施の形態における他の例のファイル本体の正面図である。
【図１６】本発明の第５の実施の形態における他の例のファイル本体の正面図である。
【図１７】本発明の第５の実施の形態における他の例のファイル本体の正面図である。
【図１８】本発明の第５の実施の形態における他の例のファイル本体の正面図である。
【図１９】（ａ）（ｂ）は従来例のファイル本体の正面図及び背面図である。
【符号の説明】
【００４６】
１  ファイル本体
２  前部分
３  後部分
４  固着部
５  上縁
６  右縁
１０  上縁
１１  右縁
【図１】
2009196294.tif 000003
【図２】
2009196294.tif 000004
【図３】
2009196294.tif 000005
【図４】
2009196294.tif 000006
【図５】
2009196294.tif 000007
【図６】
2009196294.tif 000008
【図７】
2009196294.tif 000009
【図８】
2009196294.tif 000010
【図９】
2009196294.tif 000011
【図１０】
2009196294.tif 000012
【図１１】
2009196294.tif 000013
【図１２】
2009196294.tif 000014
【図１３】
2009196294.tif 000015
【図１４】
2009196294.tif 000016
【図１５】
2009196294.tif 000017
【図１６】
2009196294.tif 000018
【図１７】
2009196294.tif 000019
【図１８】
2009196294.tif 000020
【図１９】
2009196294.tif 000021